(57)【要約】【課題】キーコードの設定に関する制約を小さくすることができるシリンダ錠、キーブレードおよびキーを提供する。【解決手段】ロック装置は、長尺板状のキーブレード（１１）を有するキーと、シリンダ錠とを備える。キーブレード（１１）は、第１ベース部と、第１ベース部の第１厚さ方向側に設けられ、複数の第１キー山（１６１Ａ，１６２Ａ，…，１６８Ａ）を第１幅方向側に有する第１段部（６０Ａ）と、第１段部（６０Ａ）の第１厚さ方向側に設けられ、複数の第２キー山（１７１Ａ，１７２Ａ，…，１７８Ａ）を第１幅方向側に有する第２段部（７０Ａ）とを備える。第１段部（６０Ａ）のキー山（１６１Ａ，１６２Ａ，…，１６８Ａ）の高さは、所定高さ以上に設定されている。一方、第２段部（７０Ａ）のキー山（１７１Ａ，１７２Ａ，…，１７８Ａ）の高さは、上記所定高さ以下に設定されている。【選択図】図１５
2020063599.tif 000002
【特許請求の範囲】
【請求項１】
第１長さ方向と、この第１長さ方向とは反対方向の第２長さ方向と、第１厚さ方向と、この第１厚さ方向とは反対方向の第２厚さ方向と、第１幅方向と、この第１幅方向とは反対方向の第２幅方向とに長さを有する長尺板状のキーブレードを備えるキーと、
シリンダ錠と
を備え、
上記シリンダ錠は、
係合溝が内周面に設けられた筒状のシリンダアウタと、
軸方向に並べられて径方向外方に開口する複数のタンブラ装着孔と、軸方向に延びて上記複数のタンブラ装着孔に連通するキーブレード挿入穴とを有して、上記シリンダアウタ内に回動可能に配置されるシリンダと、
それぞれが上記各タンブラ装着孔内に径方向に移動可能に収容されて、径方向外方に付勢されて上記係合溝に係合し、上記キーブレードが上記キーブレード挿入穴に挿入されることによって上記係合溝との係合が解除される複数のタンブラと
を備え、
上記キーブレードは、第１ベース部、第１段部および第２段部を上記第１幅方向側に備え、
上記第１ベース部は、上記第１長さ方向に延在する平らな端面を上記第１幅方向側に有し、
上記第１段部は、上記第１ベース部の上記第１厚さ方向側または上記第２厚さ方向側に設けられ、複数の第１キー山を上記第１幅方向側に有し、
上記第２段部は、上記第１段部が上記第１ベース部の上記第１厚さ方向側に設けられたとき、上記第１段部の上記第１厚さ方向側に設けられ、上記第１段部が上記第２厚さ方向側に設けられたとき、上記第１ベース部の上記第１厚さ方向側に設けられ、複数の第２キー山を上記第１幅方向側に有し、
上記複数のタンブラは、
上記キーブレードが挿通される第１キーブレード挿通孔と、この第１キーブレード挿通孔の周縁部に設けられて上記第１キー山に係合可能な第１肩部とを有する第１タンブラと、
上記キーブレードが挿通される第２キーブレード挿通孔と、この第２キーブレード挿通孔の周縁部に設けられて上記第２キー山に係合可能な第２肩部とを有する第２タンブラと
を含み、
上記第１キー山の高さは、所定高さ以上に設定されている一方、上記第２キー山の高さは、上記所定高さ以下に設定されていることを特徴とするロック装置。
【請求項２】
請求項１に記載のロック装置において、
上記第１肩部に係合可能な上記第１キー山同士の最小の高低差は、上記第２肩部に係合可能な上記第２キー山同士の最小の高低差と同じであることを特徴とするロック装置。
【請求項３】
請求項１または２に記載のロック装置において、
上記シリンダの上記キーブレード挿入穴に上記キーブレードが挿入されたときに、
上記第１タンブラと対向して上記第１肩部に係合可能で最も高い、または、最も低い上記第１キー山と、上記第２タンブラと対向して上記第２肩部に係合不可能な上記第１キー山との高低差は、上記第１肩部に係合可能な上記第１キー山同士の最小の高低差よりも大きいことを特徴とするロック装置。
【請求項４】
請求項１から３までのいずれか一項に記載のロック装置において、
上記第１肩部に係合可能な上記第１キー山の高さは、１．７ｍｍ〜２．５ｍｍの範囲内に設定され、
上記第２肩部に係合可能な第２キー山の高さは、０．１ｍｍ〜０．９ｍｍの範囲内に設定されていることを特徴とするロック装置。
【請求項５】
請求項１から４までのいずれか一項に記載のロック装置において、
上記第２キーブレード挿通孔の周縁部に対向して係合しない上記第１キー山は、上記第１肩部に係合する上記第１キー山の高さの範囲外の高さに設定されていることを特徴とするロック装置。
【請求項６】
請求項１から５までのいずれか一項に記載のロック装置において、
上記第１キーブレード挿通孔の周縁部に対向して係合しない上記第２キー山は、上記第２肩部に係合する上記第２キー山の高さの範囲外の高さに設定されていることを特徴とするロック装置。
【請求項７】
請求項１から６までのいずれか一項に記載のロック装置において、
上記キーブレードは、第２ベース部、第３段部および第４段部を上記第２幅方向側に備え、
上記第２ベース部は、上記第１長さ方向に延在する平らな端面を上記第２幅方向側に有し、
上記第３段部は、上記第２ベース部の上記第２厚さ方向側または上記第１厚さ方向側に設けられ、複数の第３キー山を上記第２幅方向側に有し、
上記第４段部は、上記第３段部が上記第２ベース部の上記第２厚さ方向側に設けられたとき、上記第３段部の上記第２厚さ方向側に設けられ、上記第３段部が上記第２ベース部の上記第１厚さ方向側に設けられたとき、上記第２ベース部の上記第２厚さ方向側に設けられ、複数の第４キー山を上記第２幅方向側に有し、
上記第３キー山の高さは、所定高さ以上に設定されている一方、上記第４キー山の高さは、上記所定高さ以下に設定されていることを特徴とするロック装置。
【請求項８】
第１長さ方向と、この第１長さ方向とは反対方向の第２長さ方向と、第１厚さ方向と、この第１厚さ方向とは反対方向の第２厚さ方向と、第１幅方向と、この第１幅方向とは反対方向の第２幅方向とのそれぞれに長さを有する長尺板状のキーブレードであって、
第１ベース部、第１段部および第２段部を上記第１幅方向側に備え、
上記第１ベース部は、上記第１長さ方向に延在する平らな端面を上記第１幅方向側に有し、
上記第１段部は、上記第１ベース部の上記第１厚さ方向側または上記第２厚さ方向側に設けられ、複数の第１キー山を上記第１幅方向側に有し、
上記第２段部は、上記第１段部が上記第１ベース部の上記第１厚さ方向側に設けられたとき、上記第１段部の上記第１厚さ方向側に設けられ、上記第１段部が上記第２厚さ方向側に設けられたとき、上記第１ベース部の上記第１厚さ方向側に設けられ、複数の第２キー山を上記第１幅方向側に有し、
上記第１キー山の高さは、所定高さ以上に設定されている一方、上記第２キー山の高さは、上記所定高さ以下に設定されていることを特徴とするキーブレード。
【請求項９】
請求項８に記載のキーブレードにおいて、
第２ベース部、第３段部および第４段部を上記第２幅方向側に備え、
上記第２ベース部は、上記第１長さ方向に延在する平らな端面を上記第２幅方向側に有し、
上記第３段部は、上記第２ベース部の上記第２厚さ方向側または上記第１厚さ方向側に設けられ、複数の第３キー山を上記第２幅方向側に有し、
上記第４段部は、上記第３段部が上記第２ベース部の上記第２厚さ方向側に設けられたとき、上記第３段部の上記第２厚さ方向側に設けられ、上記第３段部が上記第２ベース部の上記第１厚さ方向側に設けられたとき、上記第２ベース部の上記第２厚さ方向側に設けられ、複数の第４キー山を上記第２幅方向側に有し、
上記第３キー山の高さは、所定高さ以上に設定されている一方、上記第４キー山の高さは、上記所定高さ以下に設定されていることを特徴とするキーブレード。
【請求項１０】
請求項８または９に記載のキーブレードと、
上記キーブレードに連なる把持部と
を備えることを特徴とするキー。
【発明の詳細な説明】
【技術分野】
【０００１】
本発明は、ロック装置、キーブレードおよびキーに関する。
【背景技術】
【０００２】
従来、ロック装置としては、特開２００６−０８９９４７号公報（特許文献１）に開示されているように、正面視形状が長方形状となるキーブレードをシリンダ内に挿入するものがある。このキーブレードの幅方向側の端部には、段部が設けられている。この段部は、キーブレードの長さ方向に並ぶ複数のキー山と、隣り合うキー山の頂部を繋ぐ複数の傾斜面とを有する。
【先行技術文献】
【特許文献】
【０００３】
【特許文献１】特開２００６−０８９９４７号公報
【発明の概要】
【発明が解決しようとする課題】
【０００４】
ところで、上記従来のロック装置において、高低差が大きくて互いに隣り合う２つのキー山を段部に設けたとき、低い方のキー山が高い方のキー山よりも前側（キーブレードの先端側）に位置すると、高い方のキー山の前側の傾斜面の傾斜が急になり過ぎてしまう。こうなると、タンブラが上記斜面をスムーズに摺動しなくなるので、シリンダへのキーブレードの挿入に支障が生じてしまう。
【０００５】
したがって、上記従来のロック装置では、各キー山間の傾斜面の傾斜が急になり過ぎないように、複数のキー山を形成しなければならないため、キーコードの設定に制約が生じるという問題が生じていた。
【０００６】
そこで、本発明の課題は、キーコードの設定に関する制約を小さくすることができるロック装置、キーブレードおよびキーを提供することにある。
【課題を解決するための手段】
【０００７】
上記課題を解決するため、本発明の一態様のロック装置は、
第１長さ方向と、この第１長さ方向とは反対方向の第２長さ方向と、第１厚さ方向と、この第１厚さ方向とは反対方向の第２厚さ方向と、第１幅方向と、この第１幅方向とは反対方向の第２幅方向とに長さを有する長尺板状のキーブレードを備えるキーと、
シリンダ錠と
を備え、
上記シリンダ錠は、
係合溝が内周面に設けられた筒状のシリンダアウタと、
軸方向に並べられて径方向外方に開口する複数のタンブラ装着孔と、軸方向に延びて上記複数のタンブラ装着孔に連通するキーブレード挿入穴とを有して、上記シリンダアウタ内に回動可能に配置されるシリンダと、
それぞれが上記各タンブラ装着孔内に径方向に移動可能に収容されて、径方向外方に付勢されて上記係合溝に係合し、上記キーブレードが上記キーブレード挿入穴に挿入されることによって上記係合溝との係合が解除される複数のタンブラと
を備え、
上記キーブレードは、第１ベース部、第１段部および第２段部を上記第１幅方向側に備え、
上記第１ベース部は、上記第１長さ方向に延在する平らな端面を上記第１幅方向側に有し、
上記第１段部は、上記第１ベース部の上記第１厚さ方向側または上記第２厚さ方向側に設けられ、複数の第１キー山を上記第１幅方向側に有し、
上記第２段部は、上記第１段部が上記第１ベース部の上記第１厚さ方向側に設けられたとき、上記第１段部の上記第１厚さ方向側に設けられ、上記第１段部が上記第２厚さ方向側に設けられたとき、上記第１ベース部の上記第１厚さ方向側に設けられ、複数の第２キー山を上記第１幅方向側に有し、
上記複数のタンブラは、
上記キーブレードが挿通される第１キーブレード挿通孔と、この第１キーブレード挿通孔の周縁部に設けられて上記第１キー山に係合可能な第１肩部とを有する第１タンブラと、
上記キーブレードが挿通される第２キーブレード挿通孔と、この第２キーブレード挿通孔の周縁部に設けられて上記第２キー山に係合可能な第２肩部とを有する第２タンブラと
を含み、
上記第１キー山の高さは、所定高さ以上に設定されている一方、上記第２キー山の高さは、上記所定高さ以下に設定されている。
【０００８】
本発明の一態様のキーブレードは、
第１長さ方向と、この第１長さ方向とは反対方向の第２長さ方向と、第１厚さ方向と、この第１厚さ方向とは反対方向の第２厚さ方向と、第１幅方向と、この第１幅方向とは反対方向の第２幅方向とのそれぞれに長さを有する長尺板状のキーブレードであって、
第１ベース部、第１段部および第２段部を上記第１幅方向側に備え、
上記第１ベース部は、上記第１長さ方向に延在する平らな端面を上記第１幅方向側に有し、
上記第１段部は、上記第１ベース部の上記第１厚さ方向側または上記第２厚さ方向側に設けられ、複数の第１キー山を上記第１幅方向側に有し、
上記第２段部は、上記第１段部が上記第１ベース部の上記第１厚さ方向側に設けられたとき、上記第１段部の上記第１厚さ方向側に設けられ、上記第１段部が上記第２厚さ方向側に設けられたとき、上記第１ベース部の上記第１厚さ方向側に設けられ、複数の第２キー山を上記第１幅方向側に有し、
上記第１キー山の高さは、所定高さ以上に設定されている一方、上記第２キー山の高さは、上記所定高さ以下に設定されている。
【０００９】
本発明の一態様のキーは、
上記キーブレードと、
上記キーブレードに連なる把持部と
を備える。
【発明の効果】
【００１０】
本発明のシリンダ錠、キーブレードおよびキーは、キーコードの設定に関する制約を小さくすることができる。
【図面の簡単な説明】
【００１１】
【図１】本発明の一実施形態のロック装置の概略斜視図である。
【図２】上記ロック装置の他の斜視図である。
【図３】上記ロック装置の一部の概略斜視図である。
【図４】上記ロック装置の一部の他の概略斜視図である。
【図５】上記ロック装置のシリンダ錠の概略断面図である。
【図６】上記シリンダ錠の他の概略断面図である。
【図７】上記シリンダ錠の他の概略断面図である。
【図８】上記シリンダ錠の他の概略断面図である。
【図９】上記シリンダ錠の他の概略断面図である。
【図１０】上記シリンダ錠の他の概略断面図である。
【図１１】上記シリンダ錠の他の概略断面図である。
【図１２】上記シリンダ錠の他の概略断面図である。
【図１３】上記ロック装置のキーブレードの表面側の概略斜視図である。
【図１４】上記キーブレードの概略表面図である。
【図１５】図１４の一部の拡大図である。
【図１６】上記キーブレードの裏面側の概略斜視図である。
【図１７】上記キーブレードの概略裏面図である。
【図１８】図１７の一部の拡大図である。
【発明を実施するための形態】
【００１２】
以下、本発明を図示の実施形態により詳細に説明する。なお、以下の説明において、キーブレード１１の長さ方向をＸ方向、キーブレード１１の厚さ方向をＹ方向、キーブレード１１の幅方向をＺ方向と言う場合がある。ここで、上記Ｘ方向はＹ，Ｚ方向に直交する方向、Ｙ方向はＸ，Ｚ方向に直交する方向、Ｚ方向はＸ，Ｙ方向に直交する方向である。
【００１３】
図１は、本発明の一実施形態のロック装置の概略斜視図である。図２は、上記ロック装置の他の斜視図である。
【００１４】
上記ロック装置は、図１，図２に示すように、正規キー１と、この正規キー１の先端側の略半分が挿入されるシリンダ錠２とを備える。このシリンダ錠２は、正規キー１を正規のキーとするものであり、正規キー１を回すことにより、例えばドアなどの施錠および解錠のための動作を行う。
【００１５】
正規キー１は、例えば金属で形成された長尺板状のキーブレード１１と、このキーブレード１１に連なる把持部１２とを備える。この把持部１２は、例えば樹脂で形成され、正規キー１の先端側とは反対側の部分を構成する。
【００１６】
シリンダ錠２は、円筒状のシリンダアウタ２１と、このシリンダアウタ２１内に回動可能に配置されたシリンダ２２と、例えば８個のタンブラ２３Ａ，２３Ｂ，…，２３Ｈとを備える。なお、タンブラ２３Ｂ，２３Ｃ，２３Ｆは第１タンブラの一例である。また、タンブラ２３Ａ，２３Ｄ，２３Ｅ，２３Ｇ，２３Ｈは第２タンブラの一例である。
【００１７】
シリンダアウタ２１は、シリンダ２２の外周面に対向する内周面を有する。このシリンダアウタ２１の軸心に沿って正規キー１が進退する。
【００１８】
シリンダ２２は、円柱状に形成されており、大部分がシリンダアウタ２１内に回動可能に収容される。このシリンダ２２は、前端部２２ａが後端部２２ｂよりも細い。また、シリンダ２２内では、キーブレード１１が挿入されるキーブレード挿入穴３２（図５〜図１２に示す）がシリンダ２２の軸方向に沿って延在している。また、シリンダ２２の後端部２２ｂには、キー孔２５を有するカバー２４が取り付けられる。このキー孔２５からシリンダ２２内のキーブレード挿入穴３２にキーブレード１１が挿入される。なお、キーブレード挿入穴３２にキーブレード１１が挿入された状態では、シリンダ２２の軸心とキーブレード１１の軸心は一致する。
【００１９】
また、シリンダ２２は、前端部２２ａと後端部２２ｂとの間に設けられた中間部２２ｃを有する。この中間部２２ｃは、前端部２２ａより太く、かつ、後端部２２ｂよりも細い。また、中間部２２ｃには、例えば８個のタンブラ２３Ａ，２３Ｂ，…，２３Ｈをシリンダ２２に装着するためのタンブラ装着孔３１Ａ，３１Ｂ，…，３１Ｈが設けられている。このタンブラ装着孔３１Ａ，３１Ｂ，…，３１Ｈは、シリンダ２２の軸方向に並べられてシリンダ２２の径方向外方に開口する。また、タンブラ装着孔３１Ａ，３１Ｂ，…，３１Ｈは、中間部２２ｃを貫通し、キーブレード挿入穴３２と連通している。また、タンブラ装着孔３１Ａ，３１Ｂ，…，３１Ｈは、この順番でシリンダ２２の軸心に沿って配列されており、タンブラ装着孔３１Ａが前端部２２ａ側に位置する一方、タンブラ装着孔３１Ｈが後端部２２ｂ側に位置する。
【００２０】
タンブラ２３Ａ，２３Ｂ，…，２３Ｈは、タンブラ装着孔３１Ａ，３１Ｂ，…，３１Ｈ内に径方向に移動可能に収容されている。
【００２１】
図３は、キーブレード１１、タンブラ２３Ａ，２３Ｂ，…，２３Ｈなどの概略斜視図である。また、図４は、キーブレード１１、タンブラ２３Ａ，２３Ｂ，…，２３Ｈなどの他の概略斜視図である。なお、図３，図４において、図１，図２の構成部と同一構成部は、図１，図２の構成部の参照番号と同一参照番号を付している。
【００２２】
タンブラ２３Ａ，２３Ｂ，…，２３Ｈは、図３，図４に示すように、キーブレード１１が挿通されるキーブレード挿通孔２６Ａ，２６Ｂ，…，２６Ｈを有する。また、タンブラ２３Ａ，２３Ｃ，２３Ｅ，２３Ｇは、スプリング２７Ａ，２７Ｃ，２７Ｅ，２７Ｇによって、径方向一方側（図３，図４中の斜め下側）に付勢される。一方、タンブラ２３Ｂ，２３Ｄ，２３Ｆ，２３Ｈは、スプリング２７Ｂ，２７Ｄ，２７Ｆ，２７Ｈによって、径方向他方側（図３，図４中の斜め上側）に付勢される。なお、キーブレード挿通孔２６Ｂ，２６Ｃ，２６Ｆは第１キーブレード挿通孔の一例である。また、キーブレード挿通孔２６Ａ，２６Ｄ，２６Ｅ，２６Ｇ，２６Ｈは第２キーブレード挿通孔の一例である。
【００２３】
キーブレード１１は、キーブレード挿入穴３２（図５〜図１２に示す）に挿入されたとき、キーブレード挿通孔２６Ａ，２６Ｂ，…，２６Ｈの周縁部を押圧する。これにより、タンブラ２３Ａ，２３Ｃ，２３Ｅ，２３Ｇは、スプリング２７Ａ，２７Ｃ，２７Ｅ，２７Ｇの付勢力に抗して、径方向他方側に移動する。一方、タンブラ２３Ｂ，２３Ｄ，２３Ｆ，２３Ｈは、スプリング２７Ｂ，２７Ｄ，２７Ｆ，２７Ｈの付勢力に抗して、径方向一方側に移動する。
【００２４】
図５，図６，…，図１２は、キーブレード１１が挿入されたシリンダ錠２をタンブラ２３Ａ，２３Ｂ，…，２３Ｈの位置で切ったときの概略断面図である。なお、図５〜図１２において、図１〜図４の構成部と同一構成部は、図１〜図４の構成部の参照番号と同一参照番号を付している。
【００２５】
シリンダアウタ２１の内周面には、図５，図６，…，図１２に示すように、シリンダアウタ２１の軸方向に沿って延びる第１，第２ロック溝４１Ａ，４１Ｂが形成されている。この第１ロック溝４１Ａの形成位置と、第２ロック溝４１Ｂの形成位置とは、シリンダアウタ２１の軸心を中心に対称な位置関係となっている。別の言い方をすれば、シリンダアウタ２１の軸心を中心にして、第１ロック溝４１Ａを１８０°回転させた箇所に、第２ロック溝４１Ｂが形成されている。なお、第１，第２ロック溝４１Ａ，４１Ｂは係合溝の一例である。
【００２６】
正規キー１のキーブレード１１がキーブレード挿入穴３２に挿入されていると、タンブラ２３Ａ，２３Ｂ，…，２３Ｈはシリンダ２２の外周面から突出しない。これにより、シリンダ２２はシリンダアウタ２１の軸心を中心に回動可能となる。
【００２７】
キーブレード１１がキーブレード挿入穴３２から抜かれると、タンブラ２３Ａ，２３Ｃ，２３Ｅ，２３Ｇが、シリンダ２２の外周面からシリンダ２２の径方向一方側（図５，図７，図９，図１１中の下側）に向かって突出して、第１ロック溝４１Ａに係合する。このとき、タンブラ２３Ｂ，２３Ｄ，２３Ｆ，２３Ｈは、シリンダ２２の外周面からシリンダ２２の径方向他方側（図６，図８，図１０，図１２中の上側）に向かって突出して、第２ロック溝４１Ｂに係合する。これらの係合により、シリンダ２２はシリンダアウタ２１の軸心を中心に回動不可能となる。
【００２８】
すなわち、タンブラ２３Ａ，２３Ｂ，…，２３Ｈと第１，第２ロック溝４１Ａ，４１Ｂとの係合は、正規キー１のキーブレード１１がキーブレード挿入穴３２に挿入されていないときは全て維持されるが、正規キー１のキーブレード１１がキーブレード挿入穴３２に挿入されると全て解除されるようになっている。なお、非正規キーのキーブレードがキーブレード挿入穴３２に挿入されたときは、全てのタンブラ２３Ａ，２３Ｂ，…，２３Ｈがシリンダ２２内に引っ込むことはなく、タンブラ２３Ａ，２３Ｂ，…，２３Ｈのうちの少なくも１つがシリンダ２２から突出して第１ロック溝４１Ａまたは第２ロック溝４１Ｂに係合し続けるので、シリンダ２２は回転不可能な状態が維持される。
【００２９】
タンブラ２３Ａ，２３Ｂ，…，２３Ｈは、キーブレード挿通孔２６Ａ，２６Ｂ，…，２６Ｈの周縁部に設けられた肩部２８Ａ，２８Ｂ，…，２８Ｈを有する。また、タンブラ２３Ａ，２３Ｂ，…，２３Ｈの外周縁部には、突起部２９Ａ，２９Ｂ，…，２９Ｈが設けられている。この突起部２９Ａ，２９Ｂ，…，２９Ｈが、スプリング２７Ａ，２７Ｂ，…，２７Ｈの付勢力を受ける部分となる。なお、肩部２８Ｂ，２８Ｃ，２８Ｆは第１肩部の一例である。また、肩部２８Ａ，２８Ｄ，２８Ｅ，２８Ｇ，２８Ｈは第２肩部の一例である。
【００３０】
第１タンブラの一例であるタンブラ２３Ｂ，２３Ｃ，２３Ｆの進退方向における中心線ＣＬ２，ＣＬ３，ＣＬ６から、肩部２８Ｂ，２８Ｃ，２８Ｆまでの長さＬ２，Ｌ３，Ｌ６は、１．７ｍｍ〜２．５ｍｍの範囲内に設定される。例えば、長さＬ２は２．５ｍｍ、長さＬ３は１．７ｍｍ、長さＬ６は２．５ｍｍに設定される。なお、タンブラ２３Ａ，２３Ｂ，…，２３Ｈの進退方向は、キーブレード１１の幅方向と平行である。
【００３１】
第２タンブラの一例であるタンブラ２３Ａ，２３Ｄ，２３Ｅ，２３Ｇ，２３Ｈの進退方向における中心線ＣＬ１，ＣＬ４，ＣＬ５，ＣＬ７，ＣＬ８から、肩部２８Ａ，２８Ｄ，２８Ｅ，２８Ｇ，２８Ｈまでの長さＬ１，Ｌ４，Ｌ５，Ｌ７，Ｌ８は、０．１ｍｍ〜０．９ｍｍの範囲内に設定される。例えば、長さＬ１は０．５ｍｍ、長さＬ４は０．５ｍｍ、長さＬ５は０．１ｍｍ、長さＬ７は０．５ｍｍ、長さＬ８は０．１ｍｍに設定される。
【００３２】
図７に示すように、第１タンブラの一例であるタンブラ２３Ｃの肩部２８ＣのＹ方向(図１３〜図１８に示す)の長さは、キーブレード１１の表面側に設けられた第１段部６０ＡのＹ方向の長さと、キーブレード１１の表面側に設けられた第２段部７０ＡのＹ方向の長さとを合わせた長さに設定されている。この肩部２８Ｃは、第２段部７０Ａ側からキーブレード１１の裏面側に向かって第１段部６０Ａのキー山１６３Ａに係合可能な位置まで延びていればよい。一方、図６，図１０に示すように、第１タンブラの一例であるタンブラ２３Ｂ，２３Ｆの肩部２８Ｂ，２８ＦのＹ方向の長さは、キーブレード１１の裏面側に設けられた第３段部６０ＢのＹ方向の長さと、キーブレード１１の裏面側に設けられた第４段部７０ＢのＹ方向の長さとを合わせた長さに設定されている。この肩部２８Ｂ，２８Ｆは、第４段部７０Ｂ側からキーブレード１１の表面側に向かって第３段部６０Ｂのキー山１６２Ｂ，１６６Ｂに係合可能な位置まで延びている。
【００３３】
図５，図９，図１１に示すように、第２タンブラの一例であるタンブラ２３Ａ，２３Ｅ，２３Ｇの肩部２８Ａ，２８Ｅ，２８ＧのＹ方向の長さは、第２段部７０ＡのＹ方向の長さと同じ長さに設定されて、肩部２８ＣのＹ方向の長さよりも短くなっている。この肩部２８Ａ，２８Ｅ，２８Ｇは、第２段部７０Ａのキー山１７１Ａ，１７５Ａ，１７７Ａに係合可能、かつ、第１段部６０Ａのキー山１６１Ａ，１６５Ａ，１６７Ａに係合不可能となるように、第２段部７０Ａ側からキーブレード１１の裏面側に向かって延びている。一方、図８，図１２に示すように、第２タンブラの一例であるタンブラ２３Ｄ，２３Ｈの肩部２８Ｄ，２８ＨのＹ方向の長さは、第４段部７０ＢのＹ方向の長さと同じ長さに設定されて、肩部２８Ｂ，２８ＦのＹ方向の長さよりも短くなっている。この肩部２８Ｄ，２８Ｈは、第４段部７０Ｂのキー山１７４Ｂ，１７８Ｂに係合可能、かつ、第３段部６０Ｂのキー山１６４Ｂ，１６８Ｂに係合不可能となるように、第４段部７０Ｂ側からキーブレード１１の表面側に向かって延びている。
【００３４】
すなわち、正規キー１のキーブレード１１をシリンダ２２のキーブレード挿入穴３２に挿入していくと、第２タンブラの一例であるタンブラ２３Ａ，２３Ｄ，２３Ｅ，２３Ｇ，２３Ｈは、第１，第３段部６０Ａ，６０Ｂのキー山１６１Ａ，１６２Ａ，…，１６８Ａ，１６１Ｂ，１６２Ｂ，…，１６８Ｂに係合することなく、第２段部７０Ａのキー山１７１Ａ，１７２Ａ，…，１７８Ａ、または、第４段部７０Ｂのキー山１７１Ｂ，１７２Ｂ，…，１７８Ｂ上を摺動しながら、シリンダ２２の径方向に進退動作する。
【００３５】
図１３は、キーブレード１１の表面をキーブレード１１の一方の側部側（図１３中上側）から見たときの概略斜視図である。また、図１４は、キーブレード１１の概略表面図である。
【００３６】
キーブレード１１は、図１３，図１４に示すように、第１長さ方向の一例としてのプラスＸ方向と、第２長さ方向の一例としてのマイナスＸ方向と、第１厚さ方向の一例としてのプラスＹ方向と、第２厚さ方向の一例としてのマイナスＹ方向と、第１幅方向の一例としてのプラスＺ方向と、第２幅方向の一例としてのマイナスＺ方向とに長さを有する。
【００３７】
より詳しく説明すると、キーブレード１１のプラスＸ方向側の端部１１ａには、第１ベース部５０Ａ、第１段部６０Ａおよび第２段部７０Ａが設けられている。この第１ベース部５０Ａ、第１段部６０Ａおよび第２段部７０Ａは、キーブレード１１のプラスＺ方向側の端部の一部を構成する。一方、キーブレード１１のマイナスＸ方向側の端部１１ｂには、平面視形状が円形の貫通孔５１と、平面視形状が矩形の貫通孔５２とが設けられている。
【００３８】
第１ベース部５０Ａは、プラスＸ方向およびマイナスＸ方向に沿って延在する平らな端面５１ＡをプラスＺ方向側に有する。この第１ベース部５０ＡのプラスＺ方向側の縁は、平面視で直線を描くように形成されている。すなわち、端面５１Ａは、いわゆるＸＹ平面と平行に形成されている。
【００３９】
第１段部６０Ａは、第１ベース部５０ＡのプラスＹ方向側に設けられている。この第１段部６０ＡのプラスＺ方向側の端面６１Ａは、第１ベース部５０ＡのプラスＺ方向側の端面５１Ａよりも、マイナスＺ方向側に位置する。すなわち、端面５１Ａと端面６１Ａとの間には段差がある。また、端面６１Ａは、ＸＹ平面に対して傾斜する複数の傾斜面を含んでいる。このため、キーブレード１１を表側から見たとき、第１段部６０ＡのプラスＺ方向側の縁は、折れ線を描くような形状となっている。ここで、上記各傾斜面がＸＹ平面に対して成す角度は、４５°以下となっている。
【００４０】
第２段部７０Ａは、第１段部６０ＡのプラスＹ方向側に設けられている。この第２段部７０ＡのプラスＺ方向側の端面７１Ａも、第１段部６０ＡのプラスＺ方向側の端面６１Ａと同様に、第１ベース部５０ＡのプラスＺ方向側の端面５１Ａよりも、マイナスＺ方向側に配置されている。また、端面７１Ａの一部以外の部分は、端面６１Ａの一部以外の部分との間に段差を有する。ここで、端面７１Ａの一部は、端面６１Ａの一部と面一に形成されている。また、端面７１Ａは、ＸＹ平面に対して傾斜する複数の傾斜面を含んでいる。このため、キーブレード１１の表側からは、第２段部７０ＡのプラスＺ方向側の縁が折れ線を描いているように見える。ここで、上記各傾斜面がＸＹ平面に対して成す角度は、４５°以下となっている。
【００４１】
図１５は、図１４のキーブレード１１の一部の拡大図である。
【００４２】
第１段部６０Ａは、例えば８個のキー山１６１Ａ，１６２Ａ，…，１６８ＡをプラスＺ方向側に有する。なお、キー山１６１Ａ，１６２Ａ，…，１６８Ａは第１キー山の一例である。
【００４３】
キー山１６２Ａ，１６３Ａ，１６６Ａは、キーブレード１１をシリンダ２２のキーブレード挿入穴３２に完全に挿入したときに、第１タンブラのタンブラ２３Ｂ，２３Ｃ，２３Ｆに対向する位置にあり、タンブラ２３Ｂ，２３Ｃ，２３Ｆの肩部２８Ｂ，２８Ｃ，２８Ｆに係合可能なキー山である。
【００４４】
一方、残りのキー山１６１Ａ，１６４Ａ，１６５Ａ，１６７Ａ，１６８Ａは、キーブレード１１をシリンダ２２のキーブレード挿入穴３２に完全に挿入したときに、第２タンブラの一例であるタンブラ２３Ａ，２３Ｄ，２３Ｅ，２３Ｇ，２３Ｈに対向する位置にあるが、第２タンブラの一例であるタンブラ２３Ａ，２３Ｄ，２３Ｅ，２３Ｇ，２３Ｈとは係合しないダミーのキー山である。すなわち、図５，図８，図９，図１１，図１２に示すように、キー山１６１Ａ，１６４Ａ，１６５Ａ，１６７Ａ，１６８Ａは、キーブレード挿通孔２６Ａ，２６Ｄ，２６Ｅ，２６Ｇ，２６Ｈの周縁部に対向することは可能だが、その周縁部への係合は不可能なキー山としている。
【００４５】
また、図１５に示すように、キー山１６１Ａの高さＨＡ１は３．３ｍｍ、キー山１６２Ａの高さＨＡ２は２．５ｍｍ、キー山１６３Ａの高さＨＡ３は１．７ｍｍ、キー山１６４Ａの高さＨＡ４は３．３ｍｍ、キー山１６５Ａの高さＨＡ５は３．３ｍｍ、キー山１６６Ａの高さＨＡ６は２．５ｍｍ、キー山１６７Ａの高さＨＡ７は３．３ｍｍ、キー山１６８Ａの高さＨＡ８は３．３ｍｍに設定されている。なお、上記高さの基準はキーブレード１１の中心線ＣＬ１１である。
【００４６】
第２段部７０Ａは、例えば８個のキー山１７１Ａ，１７２Ａ，…，１７８ＡをプラスＺ方向側に有する。なお、キー山１７１Ａ，１７２Ａ，…１７８Ａは第２キー山の一例である。
【００４７】
キー山１７１Ａ，１７４Ａ，１７５Ａ，１７７Ａ，１７８Ａは、キーブレード１１をシリンダ２２のキーブレード挿入穴３２に完全に挿入したときに、第２タンブラの一例であるタンブラ２３Ａ，２３Ｄ，２３Ｅ，２３Ｇ，２３Ｈに対向する位置にあり、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山である。
【００４８】
一方、残りのキー山１７２Ａ，１７３Ａ，１７６Ａは、キーブレード１１をシリンダ２２のキーブレード挿入穴３２に完全に挿入したときに、第１タンブラであるタンブラ２３Ｂ，２３Ｃ，２３Ｆに対向する位置にあるが、第１タンブラの一例であるタンブラ２３Ｂ，２３Ｃ，２３Ｆの肩部２８Ｂ，２８Ｃ，２８Ｆとは係合しないダミーのキー山である。すなわち、図６，図７，図１０に示すように、キー山１７２Ａ，１７３Ａ，１７６Ａは、キーブレード挿通孔２６Ｂ，２６Ｃ，２６Ｆの周縁部に対向することは可能だが、その周縁部への係合は不可能なキー山としている。なお、本実施形態のように、第２段部７０Ａのキー山１７３Ａの高さＨＡ１３と第１段部６０Ａのキー山１６３Ａの高さＨＡ３との高さが同じ場合には、図７に示すように、キー山１７３Ａは、キー山１６３Ａと共にタンブラ２３Ｃの肩部２８Ｃに係合するが、キー山１７３Ａがタンブラ２３Ｃを作動させるように直接的に作用するものではない。
【００４９】
また、図１５に示すように、キー山１７１Ａの高さＨＡ１１は０．５ｍｍ、キー山１７２Ａの高さＨＡ１２は１．７ｍｍ、キー山１７３Ａの高さＨＡ１３は１．７ｍｍ、キー山１７４Ａの高さＨＡ１４は０．５ｍｍ、キー山１７５Ａの高さＨＡ１５は０．１ｍｍ、キー山１７６Ａの高さＨＡ１６は１．７ｍｍ、キー山１７７Ａの高さＨＡ１７は０．５ｍｍ、キー山１７８Ａの高さＨＡ１８は０．１ｍｍに設定されている。
【００５０】
このように、タンブラ２３Ｂ，２３Ｃ，２３Ｆの肩部２８Ｂ，２８Ｃ，２８Ｆに係合可能なキー山１６２Ａ，１６３Ａ，１６６Ａ同士の最小の高低差、つまり、第１キー山のキーコードに関与するキー山１６２Ａ，１６３Ａ，１６６Ａの高さピッチは、０．４ｍｍにしている。具体的には各キー山の高さピッチが０．４ｍｍに設定されており、本実施形態のキーブレード１１においては、キー山１６３Ａよりも１ピッチ高く、かつ、キー山１６２Ａ，１６６Ａよりも１ピッチ低い２．１ｍｍのキー山は設定されておらず、存在していない。もちろん、キーブレード１１とはキーコードが異なるキーブレードには、この２．１ｍｍのキー山が設けられているものもある。
【００５１】
また、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山１７１Ａ，１７４Ａ，１７５Ａ，１７７Ａ，１７８Ａ同士の最小の高低差、つまり、第２キー山のキーコードに関与するキー山１７１Ａ，１７４Ａ，１７５Ａ，１７７Ａ，１７８Ａの高さピッチも、０．４ｍｍにしている。具体的には各キー山の高さピッチが０．４ｍｍに設定されており、本実施形態のキーブレード１１においては、キー山１７４Ａ，１７７Ａよりも１ピッチ高い、０．９ｍｍのキー山は設定されておらず、存在していない。もちろん、キーブレード１１とはキーコードが異なるキーブレードには、この０．９ｍｍのキー山が設けられているものもある。
【００５２】
すなわち、キー山１６２Ａ，１６３Ａ，１６６Ａの高さピッチは、キー山１７１Ａ，１７４Ａ，１７５Ａ，１７７Ａ，１７８Ａの高さピッチと同じ０．４ｍｍに設定されている。
【００５３】
また、タンブラ２３Ｂ，２３Ｃ，２３Ｆの肩部２８Ｂ，２８Ｃ，２８Ｆに係合可能なキー山１６２Ａ，１６３Ａ，１６６Ａのうち、キー山１６３Ａが最も低い。
【００５４】
また、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山１７１Ａ，１７４Ａ，１７５Ａ，１７７Ａ，１７８Ａのうち、キー山１７１Ａ，１７４Ａ，１７７Ａが最も高い。
【００５５】
すなわち、キー山１６３Ａとキー山１７１Ａ，１７４Ａ，１７７Ａとの高低差は、１．２ｍｍであるから、キー山１６２Ａ，１６３Ａ，１６６Ａの高さピッチより大きく、かつ、キー山１７１Ａ，１７４Ａ，１７５Ａ，１７７Ａ，１７８Ａの高さピッチよりも大きい。
【００５６】
また、第１キー山のキーコードに関与するキー山１６２Ａ，１６３Ａ，１６６Ａの高さＨＡ２，ＨＡ３，ＨＡ６は、１．７ｍｍ〜２．５ｍｍの範囲内に設定されている。このキー山１６２Ａ，１６３Ａ，１６６Ａの高さＨＡ２，ＨＡ３，ＨＡ６は、タンブラ２３Ｂ，２３Ｃ，２３Ｆの中心線ＣＬ２，ＣＬ３，ＣＬ６から肩部２８Ｂ，２８Ｃ，２８Ｆまでの長さＬ２，Ｌ３，Ｌ６にそれぞれ一致する(図６，図７，図１０参照)。
【００５７】
また、第１キー山のキーコードに関与しないダミーのキー山１６１Ａ，１６４Ａ，１６５Ａ，１６７Ａ，１６８Ａの高さＨＡ１，ＨＡ４，ＨＡ５，ＨＡ７，ＨＡ８の高さは、２．５ｍｍを超えるように設定されている。
【００５８】
また、シリンダ２２のキーブレード挿入穴３２にキーブレード１１が挿入されたときに、第１タンブラーの一例であるタンブラ２３Ｂ，２３Ｃ，２３Ｆと対向して肩部２８Ｂ，２８Ｃ，２８Ｆに係合可能で最も高い２．５ｍｍのキー山１６２Ａ，１６６Ａと、第２タンブラの一例であるタンブラ２３Ａ，２３Ｄ，２３Ｅ，２３Ｇ，２３Ｈと対向して肩部２８Ａ，２８Ｄ，２８Ｅ，２８Ｇ，２８Ｈに係合不可能な３．３ｍｍのキー山１６１Ａ，１６４Ａ，１６５Ａ，１６７Ａ，１６８Ａとの高低差は、０．８ｍｍであり、肩部２８Ｂ，２８Ｃ，２８Ｆに係合可能なキー山１６２Ａ，１６３Ａ，１６６Ａ同士の最小の高低差０．４ｍｍよりも大きい。
【００５９】
また、第２キー山のキーコードに関与するキー山１７１Ａ，１７４Ａ，１７５Ａ，１７７Ａ，１７８Ａの高さＨＡ１１，ＨＡ１４，ＨＡ１５，ＨＡ１７，ＨＡ１８は、０．１ｍｍ〜０．９ｍｍの範囲内に設定されている。このキー山１７１Ａ，１７４Ａ，１７５Ａ，１７７Ａ，１７８Ａの高さＨＡ１１，ＨＡ１４，ＨＡ１５，ＨＡ１７，ＨＡ１８は、タンブラ２３Ａ，２３Ｄ，２３Ｅ，２３Ｇ，２３Ｈの中心線ＣＬ１，ＣＬ４，ＣＬ５，ＣＬ７，ＣＬ８から肩部２８Ａ，２８Ｄ，２８Ｅ，２８Ｇ，２８Ｈまでの長さＬ１，Ｌ４，Ｌ５，Ｌ７，Ｌ８にそれぞれ一致する(図５，図８，図９，図１１，図１２)。
【００６０】
また、キーコードに関与しないダミーのキー山１７２Ａ，１７３Ａ，１７６Ａの高さＨＡ１２，ＨＡ１３，ＨＡ１６は、０．９ｍｍを超えるように設定されている。このキー山１７３Ａの高さＨＡ１３は、キー山１６３Ａの高さＨＡ３と同じである。このように、第２キー山のキーコードに関与しないダミーのキー山１７２Ａ，１７３Ａ，１７６Ａの高さＨＡ１２，ＨＡ１３，ＨＡ１６を、第１キー山のキーコードに関与するキー山の中で一番高さが低いキー山１６３Ａの高さＨＡ３と同じとすることで、キーブレード１１の幅方向の外形を小さくすることが可能となる。
【００６１】
図１６は、キーブレード１１の裏面をキーブレード１１の他方の側部側（図１６中下側）から見たときの概略斜視図である。また、図１７は、キーブレード１１の概略裏面図である。
【００６２】
キーブレード１１のプラスＸ方向側の端部１１ａには、第２ベース部５０Ｂ、第３段部６０Ｂおよび第４段部７０Ｂも設けられている。この第２ベース部５０Ｂ、第３段部６０Ｂおよび第４段部７０Ｂは、キーブレード１１のマイナスＺ方向側の端部の一部を構成する。これにより、キーブレード１１は、リバーシブル構造を有している。
【００６３】
より詳しく説明すると、第２ベース部５０Ｂは、第２段部７０ＡのマイナスＺ方向側に設けられて、プラスＸ方向およびマイナスＸ方向に沿って延在する平らな端面５１ＢをマイナスＺ方向側に有する。この第２ベース部５０ＢのマイナスＺ方向側の縁は、平面視で直線を描くように形成されている。すなわち、端面５１Ｂは、いわゆるＸＹ平面と平行に形成されている。
【００６４】
第３段部６０Ｂは、第１段部６０ＡのマイナスＺ方向側、かつ、第２ベース部５０ＢのマイナスＹ方向側に設けられている。この第３段部６０ＢのマイナスＺ方向側の端面６１Ｂは、第２ベース部５０ＢのマイナスＺ方向側の端面５１Ｂよりも、プラスＺ方向側に位置する。すなわち、端面５１Ｂと端面６１Ｂとの間には段差が生じている。また、端面６１Ｂは、ＸＹ平面に対して傾斜する複数の傾斜面を含んでいる。このため、キーブレード１１を裏側から見たとき、第３段部６０ＢのマイナスＺ方向側の縁は、折れ線を描くような形状となっている。ここで、上記各傾斜面がＸＹ平面に対して成す角度は、４５°以下となっている。
【００６５】
第４段部７０Ｂは、第１ベース部５０ＡのマイナスＺ方向側、かつ、第３段部６０ＢのマイナスＹ方向側に設けられている。この第４段部７０ＢのマイナスＺ方向側の端面７１Ｂも、第３段部６０ＢのマイナスＺ方向側の端面６１Ｂと同様に、第２ベース部５０ＢのマイナスＺ方向側の端面５１Ｂよりも、プラスＺ方向側に位置する。また、端面７１Ｂは、端面５１Ｂ，６１Ｂとの間に段差を有する。また、端面７１Ｂの一部以外の部分は、端面６１Ｂの一部以外の部分との間に段差を有する。ここで、端面７１Ｂの一部は、端面６１Ｂの一部と面一に形成されている。また、端面７１Ｂは、ＸＹ平面に対して傾斜する複数の傾斜面を含んでいる。このため、キーブレード１１の裏側からは、第４段部７０ＢのマイナスＺ方向側の縁が折れ線を描いているように見える。ここで、上記各傾斜面がＸＹ平面に対して成す角度は、４５°以下となっている。
【００６６】
図１８は、図１７のキーブレード１１の一部の拡大図である。
【００６７】
第３段部６０Ｂは、例えば８個のキー山１６１Ｂ，１６２Ｂ，…，１６８ＢをマイナスＺ方向側に有する。なお、キー山１６１Ｂ，１６２Ｂ，…，１６８Ｂは第３キー山の一例である。
【００６８】
キー山１６２Ｂ，１６３Ｂ，１６６Ｂは、キーブレード１１をシリンダ２２のキーブレード挿入穴３２に完全に挿入したときに、第１タンブラの一例であるタンブラ２３Ｂ，２３Ｃ，２３Ｆに対向する位置にあり、タンブラ２３Ｂ，２３Ｃ，２３Ｆの肩部２８Ｂ，２８Ｃ，２８Ｆに係合可能なキー山である。
【００６９】
一方、残りのキー山１６１Ｂ，１６４Ｂ，１６５Ｂ，１６７Ｂ，１６８Ｂは、キーブレード１１をシリンダ２２のキーブレード挿入穴３２に完全に挿入したときに、第２タンブラの一例であるタンブラ２３Ａ，２３Ｄ，２３Ｅ，２３Ｇ，２３Ｈに対向する位置にあるが、第２タンブラの一例であるタンブラ２３Ａ，２３Ｄ，２３Ｅ，２３Ｇ，２３Ｈの肩部２８Ａ，２８Ｄ，２８Ｅ，２８Ｇ，２８Ｈとは係合しないダミーのキー山である。すなわち、図５，図８，図９，図１１，図１２に示すように、キー山１６１Ｂ，１６４Ｂ，１６５Ｂ，１６７Ｂ，１６８Ｂは、キーブレード挿通孔２６Ａ，２６Ｄ，２６Ｅ，２６Ｇ，２６Ｈの周縁部に対向することは可能だが、その周縁部への係合は不可能なキー山としている。
【００７０】
また、図１８に示すように、キー山１６１Ｂの高さＨＢ１は３．３ｍｍ、キー山１６２Ｂの高さＨＢ２は２．５ｍｍ、キー山１６３Ｂの高さＨＢ３は１．７ｍｍ、キー山１６４Ｂの高さＨＢ４は３．３ｍｍ、キー山１６５Ｂの高さＨＢ５は３．３ｍｍ、キー山１６６Ｂの高さＨＢ６は２．５ｍｍ、キー山１６７Ｂの高さＨＢ７は３．３ｍｍ、キー山１６８Ｂの高さＨＢ８は３．３ｍｍに設定されている。なお、上記高さの基準はキーブレード１１の中心線ＣＬ１１である。また、第３キー山の一例であるキー山１６１Ｂ，１６２Ｂ，…，１６８Ｂの高さＨＢ１，ＨＢ２，…，ＨＢ８は、第１キー山の一例であるキー山１６１Ａ，１６２Ａ，…，１６８Ａの高さＨＡ１，ＨＡ２，…，ＨＡ８にそれぞれ一致する。
【００７１】
第４段部７０Ｂは、例えば８個のキー山１７１Ｂ，１７２Ｂ，…，１７８ＢをマイナスＺ方向側に有する。なお、キー山１７１Ｂ，１７２Ｂ，…１７８Ｂは第４キー山の一例である。
【００７２】
キー山１７１Ｂ，１７４Ｂ，１７５Ｂ，１７７Ｂ，１７８Ｂは、キーブレード１１をシリンダ２２のキーブレード挿入穴３２に完全に挿入したときに、第２タンブラの一例であるタンブラ２３Ａ，２３Ｄ，２３Ｅ，２３Ｇ，２３Ｈに対向する位置にあり、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山である。
【００７３】
一方、残りのキー山１７２Ｂ，１７３Ｂ，１７６Ｂは、キーブレード１１をシリンダ２２のキーブレード挿入穴３２に完全に挿入したときに、第１タンブラの一例であるタンブラ２３Ｂ，２３Ｃ，２３Ｆに対向する位置にあるが、第１タンブラのタンブラ２３Ｂ，２３Ｃ，２３Ｆの肩部２８Ｂ、２８Ｃ，２８Ｆとは係合しないダミーのキー山である。すなわち、図６，図７，図１０に示すように、キー山１７２Ｂ，１７３Ｂ，１７６Ｂは、キーブレード挿通孔２６Ｂ，２６Ｃ，２６Ｆの周縁部に対向することは可能だが、その周縁部への係合は不可能なキー山としている。なお、本実施形態のように、第４段部７０Ｂのキー山１７３Ｂの高さＨＢ１３と第３段部６０Ｂのキー山１６３Ｂの高さＨＢ３との高さが同じ場合には、キー山１７３Ｂは、キー山１６３Ｂと共にタンブラ２３Ｃの肩部２８Ｃに係合するが、キー山１７３Ｂがタンブラ２３Ｃを作動させるように直接的に作用するものではない。
【００７４】
キー山１７１Ｂの高さＨＢ１１は０．５ｍｍ、キー山１７２Ｂの高さＨＢ１２は１．７ｍｍ、キー山１７３Ｂの高さＨＢ１３は１．７ｍｍ、キー山１７４Ｂの高さＨＢ１４は０．５ｍｍ、キー山１７５Ｂの高さＨＢ１５は０．１ｍｍ、キー山１７６Ｂの高さＨＢ１６は１．７ｍｍ、キー山１７７Ｂの高さＨＢ１７は０．５ｍｍ、キー山１７８Ｂの高さＨＢ１８は０．１ｍｍに設定されている。また、第４キー山の一例であるキー山１７１Ｂ，１７２Ｂ，…，１７８Ｂの高さＨＢ１１，ＨＢ１２，…，ＨＢ１８は、第２キー山のキー山１７１Ａ，１７２Ａ，…，１７８Ａの高さＨＡ１１，ＨＡ１２，…，ＨＡ１８にそれぞれ一致する。
【００７５】
このように、タンブラ２３Ｂ，２３Ｃ，２３Ｆの肩部２８Ｂ，２８Ｃ，２８Ｆに係合可能なキー山１６２Ｂ，１６３Ｂ，１６６Ｂ同士の最小の高低差、つまり、第３キー山のキーコードに関与するキー山１６２Ｂ，１６３Ｂ，１６６Ｂの高さピッチは、０．４ｍｍにしている。このキー山１６２Ｂ，１６３Ｂ，１６６Ｂは、キーブレード１１の表側のキー山１６２Ａ，１６３Ｂ，１６６Ｂと同様に、キー山１６３Ｂよりも１ピッチ高く、かつ、キー山１６２Ｂ，１６６Ｂよりも１ピッチ低い２．１ｍｍのキー山を含んでいない。
【００７６】
また、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山１７１Ｂ，１７４Ｂ，１７５Ｂ，１７７Ｂ，１７８Ｂ同士の最小の高低差、つまり、第４キー山のキーコードに関与するキー山１７１Ｂ，１７４Ｂ，１７５Ｂ，１７７Ｂ，１７８Ｂの高さピッチも、０．４ｍｍにしている。このキー山１７１Ｂ，１７４Ｂ，１７５Ｂ，１７７Ｂ，１７８Ｂは、キーブレード１１の表側のキー山１７１Ａ，１７４Ａ，１７５Ａ，１７７Ａ，１７８Ａと同様に、キー山１７１Ｂ，１７４Ｂ，１７７Ｂよりも１ピッチ高い０．９ｍｍのキー山を含んでいない。
【００７７】
すなわち、キー山１６２Ｂ，１６３Ｂ，１６６Ｂの高さピッチは、キー山１７１Ｂ，１７４Ｂ，１７５Ｂ，１７７Ｂ，１７８Ｂの高さピッチと同じ０．４ｍｍに設定されている。具体的には各キー山の高さピッチが０．４ｍｍに設定されている。
【００７８】
また、タンブラ２３Ｂ，２３Ｃ，２３Ｆの肩部２８Ｂ，２８Ｃ，２８Ｆに係合可能なキー山１６２Ｂ，１６３Ｂ，１６６Ｂのうち、キー山１６３Ｂが最も低い。
【００７９】
また、タンブラ２３Ａ，２３Ｄ，２３Ｅ，２３Ｇ，２３Ｈの肩部２８Ａ，２８Ｄ，２８Ｅ，２８Ｇ，２８Ｈに係合可能なキー山１７１Ｂ，１７４Ｂ，１７５Ｂ，１７７Ｂ，１７８Ｂのうち、キー山１７１Ｂ，１７４Ｂ，１７７Ｂが最も高い。
【００８０】
したがって、キー山１６３Ｂとキー山１７１Ｂ，１７４Ｂ，１７７Ｂとの高低差は、キー山１６２Ｂ，１６３Ｂ，１６６Ｂの高さピッチより大きく、かつ、キー山１７１Ｂ，１７４Ｂ，１７５Ｂ，１７７Ｂ，１７８Ｂの高さピッチよりも大きい。
【００８１】
また、第３キー山のキーコードに関与するキー山１６２Ｂ，１６３Ｂ，１６６Ｂの高さＨＢ２，ＨＢ３，ＨＢ６は、１．７ｍｍ〜２．５ｍｍの範囲内に設定されている。このキー山１６２Ｂ，１６３Ｂ，１６６Ｂの高さＨＢ２，ＨＢ３，ＨＢ６は、タンブラ２３Ｂ，２３Ｃ，２３Ｆの中心線ＣＬ２，ＣＬ３，ＣＬ６から肩部２８Ｂ，２８Ｃ，２８Ｆまでの長さＬ２，Ｌ３，Ｌ６にそれぞれ一致する(図６，図７，図１０参照)。
【００８２】
また、第３キー山のキーコードに関与しないダミーのキー山１６１Ｂ，１６４Ｂ，１６５Ｂ，１６７Ｂ，１６８Ｂの高さＨＢ１，ＨＢ４，ＨＢ５，ＨＢ７，ＨＢ８の高さは、２．５ｍｍを超えるように設定されている。
【００８３】
また、シリンダ２２のキーブレード挿入穴３２にキーブレード１１が挿入されたときに、第１タンブラーの一例であるタンブラ２３Ｂ，２３Ｃ，２３Ｆと対向して肩部２８Ｂ，２８Ｃ，２８Ｆに係合可能で最も高い２．５ｍｍのキー山１６２Ｂ，１６６Ｂと、第２タンブラの一例であるタンブラ２３Ａ，２３Ｄ，２３Ｅ，２３Ｇ，２３Ｈと対向して肩部２８Ａ，２８Ｄ，２８Ｅ，２８Ｇ，２８Ｈに係合不可能な３．３ｍｍのキー山１６１Ｂ，１６４Ｂ，１６５Ｂ，１６７Ｂ，１６８Ｂとの高低差は、０．８ｍｍであり、肩部２８Ｂ，２８Ｃ，２８Ｆに係合可能なキー山１６２Ｂ，１６３Ｂ，１６６Ｂ同士の最小の高低差０．４ｍｍよりも大きい。
【００８４】
また、第４キー山のキーコードに関与するキー山１７１Ｂ，１７４Ｂ，１７５Ｂ，１７７Ｂ，１７８Ｂの高さＨＢ１１，ＨＢ１４，ＨＢ１５，ＨＢ１７，ＨＢ１８は、０．１ｍｍ〜０．９ｍｍの範囲内に設定されている。このキー山１７１Ｂ，１７４Ｂ，１７５Ｂ，１７７Ｂ，１７８Ｂの高さＨＢ１１，ＨＢ１４，ＨＢ１５，ＨＢ１７，ＨＢ１８は、タンブラ２３Ａ，２３Ｄ，２３Ｅ，２３Ｇ，２３Ｈの中心線ＣＬ１，ＣＬ４，ＣＬ５，ＣＬ７，Ｌ８から肩部２８Ａ，２８Ｄ，２８Ｅ，２８Ｇ，２８Ｈまでの長さＬ１，Ｌ４，Ｌ５，Ｌ７，Ｌ８にそれぞれ一致する(図５，図８，図９，図１１，図１２)。
【００８５】
また、第４キー山のキーコードに関与しないダミーのキー山１７２Ｂ，１７３Ｂ，１７６Ｂの高さＨＢ１２，ＨＢ１３，ＨＢ１６は、０．９ｍｍを超えるように設定されている。なお、キー山１７３Ｂの高さＨＢ１３は、キー山１６３Ｂの高さＨＢ３と同じである。このように、第４キー山のキーコードに関与しないダミーのキー山１７２Ｂ，１７３Ｂ，１７６Ｂの高さＨＢ１２，ＨＢ１３，ＨＢ１６を、第３キー山のキーコードに関与するキー山の中で一番高さが低いキー山１６３Ｂの高さＨＢ３と同じとすることで、キーブレード１１の幅方向の外形を小さくすることが可能となる。
【００８６】
このように、キーブレード１１の裏側のキー山１６１Ｂ，１６２Ｂ，…，１６８Ｂは、キーブレード１１の表側のキー山１６１Ａ，１６２Ａ，…，１６８Ａに対応すると共に、
キーブレード１１の裏側のキー山１７１Ｂ，１７２Ｂ，…，１７８Ｂは、キーブレード１１の表側のキー山１７１Ａ，１７２Ａ，…，１７８Ａに対応している。これにより、キーブレード１１はリバーシブル構造を有する。
【００８７】
上記構成のロック装置では、第１段部６０Ａのキー山１６１Ａ，１６２Ａ，…，１６８Ａの高さ、および、第３段部６０Ｂのキー山１６１Ｂ，１６２Ｂ，…，１６８Ｂの高さは、１．７ｍｍ以上に設定されている。一方、第２段部７０Ａのキー山１７１Ａ，１７２Ａ，…，１７８Ａの高さ、および、第４段部７０Ｂのキー山１７１Ｂ，１７２Ｂ，…，１７８Ｂの高さは、１．７ｍｍ以下に設定されている。したがって、第１，第３段部６０Ａ，６０Ｂのキー山１６１Ａ，１６２Ａ，…，１６８Ａ，１６１Ｂ，１６２Ｂ，…，１６８Ｂと、第２，第４段部７０Ａ，７０Ｂのキー山１７１Ａ，１７２Ａ，…，１７８Ａ，１７１Ｂ，１７２Ｂ，…，１７８Ｂとに、キーコードに対応するキー山の高さ設定を高低方向に分けて分担して設定可能としている。これにより、第１，第３段部６０Ａ，６０Ｂのキー山１６１Ａ，１６２Ａ，…，１６８Ａ，１６１Ｂ，１６２Ｂ，…，１６８Ｂにおいて、隣り合うキー山間の高低差を低減することができると共に、第２，第４段部７０Ａ，７０Ｂのキー山１７１Ａ，１７２Ａ，…，１７８Ａ，１７１Ｂ，１７２Ｂ，…，１７８Ｂにおいて、隣り合うキー山間の高低差を低減することができる。その結果、上記キー山１６１Ａ，１６２Ａ，…，１６８Ａ，１６１Ｂ，１６２Ｂ，…，１６８Ｂ，１７１Ａ，１７２Ａ，…，１７８Ａ，１７１Ｂ，１７２Ｂ，…，１７８Ｂの斜面が急になり過ぎるのを防ぐことができるので、キーコードの設定に関する制約を小さくすることができる。
【００８８】
また、シリンダ２２のキーブレード挿入穴３２にキーブレード１１が挿入されたときに、第１タンブラ２３Ｂ，２３Ｃ，２３Ｆと対向して肩部２８Ｂ，２８Ｃ，２８Ｆに係合可能で最も高いキー山１６２Ａ，１６６Ａと、タンブラ２３Ａ，２３Ｄ，２３Ｅ，２３Ｇ，２３Ｈと対向して肩部２８Ａ，２８Ｄ，２８Ｅ，２８Ｇ，２８Ｈに係合不可能なキー山１６１Ａ，１６４Ａ，１６５Ａ，１６７Ａ，１６８Ａとの高低差は、肩部２８Ｂ，２８Ｃ，２８Ｆに係合可能なキー山１６２Ａ，１６３Ａ，１６６Ａ同士の最小の高低差よりも大きい。
【００８９】
このように構成すれば、非正規キーがシリンダ２２のキーブレード挿入穴３２に挿入されたときに、第２肩部２８Ａ，２８Ｄ，２８Ｅ，２８Ｇ，２８Ｈに係合不可能な第１キー山１６１Ａ，１６４Ａ，１６５Ａ，１６７Ａ，１６８Ａ、すなわち、ダミーのキー山に係合してシリンダ２２の外周面から突出する第１タンブラの突出量を増やすことができ、ロック強度を向上することができる。
【００９０】
また、第１，第３段部６０Ａ，６０Ｂのキー山１６１Ａ，１６４Ａ，１６５Ａ，１６７Ａ，１６８Ａ，１６１Ｂ，１６４Ｂ，１６５Ｂ，１６７Ｂ，１６８Ｂは、キーブレード挿通孔２６Ａ，２６Ｄ，２６Ｅ，２６Ｇ，２６Ｈの周縁部に係合不可能としている。一方、キー山１６２Ａ，１６３Ａ，１６６Ａ，１６２Ｂ，１６３Ｂ，１６６Ｂは、キーブレード挿通孔２６Ｂ，２６Ｃ，２６Ｆの周縁部に係合可能としている。すなわち、キー山１６１Ａ，１６４Ａ，１６５Ａ，１６７Ａ，１６８Ａ，１６１Ｂ，１６４Ｂ，１６５Ｂ，１６７Ｂ，１６８Ｂは、キーコードに関与しないダミーのキー山であるが、キー山１６２Ａ，１６３Ａ，１６６Ａ，１６２Ｂ，１６３Ｂ，１６６Ｂは、キーコードに関与するキー山である。ここで、ダミーのキー山１６１Ａ，１６４Ａ，１６５Ａ，１６７Ａ，１６８Ａ，１６１Ｂ，１６４Ｂ，１６５Ｂ，１６７Ｂ，１６８Ｂは、キーコードに関与するキー山１６２Ａ，１６３Ａ，１６６Ａ，１６２Ｂ，１６３Ｂ，１６６Ｂよりも高くしている。その結果、シリンダ２２が非正規のキーブレードで回動されてしまうリスクを下げることができる。
【００９１】
また、第２，第４段部７０Ａ，７０Ｂのキー山１７１Ａ，１７４Ａ，１７５Ａ，１７７Ａ，１７８Ａ，１７１Ｂ，１７４Ｂ，１７５Ｂ，１７７Ｂ，１７８Ｂは、キーブレード挿通孔２６Ａ，２６Ｄ，２６Ｅ，２６Ｇ，２６Ｈに係合可能としている。一方、キー山１７２Ａ，１７６Ａ，１７２Ｂ，１７６Ｂは、キーブレード挿通孔２６Ｂ，２６Ｆの周縁部に係合不可能としている。すなわち、キー山１７１Ａ，１７４Ａ，１７５Ａ，１７７Ａ，１７８Ａ，１７１Ｂ，１７４Ｂ，１７５Ｂ，１７７Ｂ，１７８Ｂは、キーコードに関与するが、キー山１７２Ａ，１７６Ａ，１７２Ｂ，１７６Ｂは、キーコードに関与しないダミーのキー山である。ここで、ダミーのキー山１７２Ａ，１７３Ａ，１７６Ａ，１７２Ｂ，１７３Ｂ，１７６Ｂは、キーコードに関与するキー山１７１Ａ，１７４Ａ，１７５Ａ，１７７Ａ，１７８Ａ，１７１Ｂ，１７４Ｂ，１７５Ｂ，１７７Ｂ，１７８Ｂよりも高くしている。その結果、シリンダ２２が非正規のキーブレードで回動されてしまうリスクを下げることができる。
【００９２】
また、第１段部６０ＡのマイナスＺ方向側には第３段部６０Ｂが設けられているので、第１段部６０Ａと第３段部６０Ｂとが厚さ方向（Ｙ方向）にずれて設けられた場合と比較して、キーブレード１１が厚くなるのを防ぐことができる。
【００９３】
また、第２ベース部５０Ｂ、第３段部６０Ｂおよび第４段部７０Ｂは、第２段部７０Ａ、第１段部６０Ａ、第１ベース部５０ＡのマイナスＺ方向側に設けられている。これにより、キーブレード１１の断面形状は、キーブレード１１の軸心を中心にキーブレード１１を１８０°回転させても同じ断面形状となる。すなわち、キーブレード１１はリバーシブル構造を有する。したがって、キーブレード１１の使い勝手を向上させることができる。
【００９４】
上記実施形態では、キーブレード１１と別体で設けた把持部１２を用いていたが、キーブレード１１と一体に設けた把持部を用いてもよい。例えば、金属板の一部が把持部を構成する一方、金属板の他の部分がキーブレードを構成するようにしてもよい。
【００９５】
上記実施形態では、カバー２４のキー孔２５は、キーブレード１１の挿入時、開放する一方、キーブレード１１の非挿入時、例えば、カバー２４に回動可能に取り付けたキーシャッタで閉鎖されるようにしてもよい。
【００９６】
上記実施形態では、タンブラ装着孔３１Ａ，３１Ｂ，…，３１Ｈの数は、８個であったが、８個以外の複数個であってもよい。
【００９７】
上記実施形態では、タンブラ２３Ａ，２３Ｂ，…，２３Ｈの数は、８個であったが、２個、３個および８個以外の複数個であってもよい。
【００９８】
上記実施形態では、タンブラ２３Ａ，２３Ｃ，２３Ｅ，２３Ｇは、タンブラ２３Ｂ，２３Ｄ，２３Ｆ，２３Ｈの突出方向と逆方向に突出するようになっていたが、タンブラ２３Ｂ，２３Ｄ，２３Ｆ，２３Ｈの突出方向と同じ方向に突出するようにしてもよい。
【００９９】
上記実施形態では、キーブレード１１は、第１ベース部５０Ａ、第１段部６０Ａおよび第２段部７０Ａを有すると共に、第２ベース部５０Ｂ、第３段部６０Ｂおよび第４段部７０Ｂを有していたが、例えば、第１ベース部５０Ａ、第１段部６０Ａおよび第２段部７０Ａを有するが、第２ベース部５０Ｂ、第３段部６０Ｂおよび第４段部７０Ｂを有しないようにしてもよい。
【０１００】
上記実施形態では、キーブレード１１のプラスＺ方向側では、キー山を有する段部は２つであったが、３つ以上にしてもよい。別の言い方をすれば、キーブレード１１の一幅方向の端部において、３つ以上の段部が積み重ねられるようにすると共に、その各段部がキー山を有するようにして、片山キーとして構成してもよい。
【０１０１】
上記実施形態では、第１段部６０Ａは、第１ベース部５０ＡのプラスＹ方向側に設けられていたが、第１ベース部５０ＡのマイナスＹ方向側に設けられるようにしてもよい。このようにする場合、第２段部７０Ａは、第１ベース部５０ＡのプラスＹ方向側に設けられるようにしてもよい。
【０１０２】
上記実施形態では、第３段部６０Ｂは、第２ベース部５０ＢのマイナスＹ方向側に設けられていたが、第２ベース部５０ＢのプラスＹ方向側に設けられるようにしてもよい。このようにする場合、第４段部７０Ｂは、第２ベース部５０ＢのマイナスＹ方向側に設けられるようにしてもよい。
【０１０３】
上記実施形態では、第１段部６０Ａ、第２段部７０Ａ、第３段部６０Ｂおよび第４段部７０Ｂのキー山の高さピッチは、０．４ｍｍに設定していたが、０．４ｍｍ以外の値に設定してもよい。
【０１０４】
上記実施形態では、ダミーのキー山１６１Ａ，１６４Ａ，１６５Ａ，１６７Ａ，１６８Ａ，１６１Ｂ，１６４Ｂ，１６５Ｂ，１６７Ｂ，１６８Ｂは、キーコードに関与するキー山１６２Ａ，１６３Ａ，１６６Ａ，１６２Ｂ，１６３Ｂ，１６６Ｂよりも高く設定しているが、ダミーのキー山１６１Ａ，１６４Ａ，１６５Ａ，１６７Ａ，１６８Ａ，１６１Ｂ，１６４Ｂ，１６５Ｂ，１６７Ｂ，１６８Ｂを、キーコードに関与するキー山１６２Ａ，１６３Ａ，１６６Ａ，１６２Ｂ，１６３Ｂ，１６６Ｂよりも低くしてもよく、上記ダミーのキー山の高さは、上記キーコードに関与するキー山の高さ範囲外の高さであればよい。このようにする場合、例えば、キーコードに関与する最も低いキー山と、ダミーのキー山との高低差は、キーコードに関与するキー山同士の最小の高低差（１ピッチ）よりも大きくしてもよい。
【０１０５】
上記実施形態では、ダミーのキー山１７２Ａ，１７３Ａ，１７６Ａ，１７２Ｂ，１７３Ｂ，１７６Ｂは、キーコードに関与するキー山１７１Ａ，１７４Ａ，１７５Ａ，１７７Ａ，１７８Ａ，１７１Ｂ，１７４Ｂ，１７５Ｂ，１７７Ｂ，１７８Ｂよりも高く設定しているが、ダミーのキー山１７２Ａ，１７３Ａ，１７６Ａ，１７２Ｂ，１７３Ｂ，１７６Ｂを、キーコードに関与するキー山１７１Ａ，１７４Ａ，１７５Ａ，１７７Ａ，１７８Ａ，１７１Ｂ，１７４Ｂ，１７５Ｂ，１７７Ｂ，１７８Ｂよりも低くしてもよく、上記ダミーのキー山の高さは、上記キーコードに関与するキー山の高さ範囲外の高さであればよい。このようにする場合、例えば、キーコードに関与する最も低いキー山と、ダミーのキー山との高低差は、キーコードに関与するキー山同士の最小の高低差（１ピッチ）よりも大きくしてもよい。
【０１０６】
本発明の具体的な実施形態について説明したが、この発明は上記実施形態に限定されるものではなく、本発明の範囲内で種々変更して実施することができる。例えば、上記実施形態のキー山の数や高さなどを適宜変更したものを、本発明の一実施形態を作成してもよい。
【符号の説明】
【０１０７】
１  正規キー
２  シリンダ錠
１１  キーブレード
１２  把持部
２１  シリンダアウタ
２２  シリンダ
２３Ａ，２３Ｂ，…，２３Ｈ  タンブラ
２４  カバー
２５  キー孔
２７Ａ，２７Ｂ，…，２７Ｈ  スプリング
２６Ａ，２６Ｂ，…，２６Ｈ  キーブレード挿通孔
２８Ａ，２８Ｂ，…，２８Ｈ  肩部
３１Ａ，３１Ｂ，…，３１Ｈ  タンブラ装着孔
３２  キーブレード挿入穴
４１Ａ  第１ロック溝
４１Ｂ  第２ロック溝
５０Ａ  第１ベース部
５０Ｂ  第２ベース部
６０Ａ  第１段部
６０Ｂ  第３段部
７０Ａ  第２段部
７０Ｂ  第４段部
１６１Ａ，１６２Ａ，…，１６８Ａ，１６１Ｂ，１６２Ｂ，…，１６８Ｂ，１７１Ａ，１７２Ａ，…，１７８Ａ，１７１Ｂ，１７２Ｂ，…，１７８Ｂ  キー山
【図１】
2020063599.tif 000003
【図２】
2020063599.tif 000004
【図３】
2020063599.tif 000005
【図４】
2020063599.tif 000006
【図５】
2020063599.tif 000007
【図６】
2020063599.tif 000008
【図７】
2020063599.tif 000009
【図８】
2020063599.tif 000010
【図９】
2020063599.tif 000011
【図１０】
2020063599.tif 000012
【図１１】
2020063599.tif 000013
【図１２】
2020063599.tif 000014
【図１３】
2020063599.tif 000015
【図１４】
2020063599.tif 000016
【図１５】
2020063599.tif 000017
【図１６】
2020063599.tif 000018
【図１７】
2020063599.tif 000019
【図１８】
2020063599.tif 000020